(57)【特許請求の範囲】
【請求項１】
開口が形成されたヘッドプレートを有するヘッドホルダと、
第１の方向における一側面である第１側面と、前記第１の方向と直交する第２の方向における一側面である第２側面とを有し、前記ヘッドプレートの前記開口に取り付けられる記録ヘッドと、
前記記録ヘッドに取り付けられた本体部を有する付勢部材と、
を備え、
前記ヘッドプレートには、前記第１側面が当接する第１当接部、および、前記第２側面が当接する第２当接部が形成され、
前記付勢部材は、前記本体部に取り付けられた前記記録ヘッドを前記ヘッドプレートに取り付けた際、前記第１側面を前記第１当接部に押し付けると共に、前記第２側面を前記第２当接部に押し付ける第１付勢部を有し、
前記第１付勢部は、前記付勢部材が前記記録ヘッドに取り付けられた状態において、前記付勢部材の前記本体部のうち、平面視において、前記記録ヘッドを中心にして前記第１側面および前記第２側面と反対側の部位から、前記第２側面とは反対側に向かって延びている、インクヘッドキャリッジ。
【請求項２】
開口が形成されたヘッドプレートを有するヘッドホルダと、
第１の方向における一側面である第１側面と、前記第１の方向と直交する第２の方向における一側面である第２側面とを有し、前記ヘッドプレートの前記開口に取り付けられる記録ヘッドと、
前記記録ヘッドに取り付けられた本体部を有する付勢部材と、
を備え、
前記ヘッドプレートには、前記第１側面が当接する第１当接部、および、前記第２側面が当接する第２当接部が形成され、
前記付勢部材は、
前記本体部に取り付けられた前記記録ヘッドを前記ヘッドプレートに取り付けた際、前記第１側面を前記第１当接部に押し付けると共に、前記第２側面を前記第２当接部に押し付ける第１付勢部と、
前記本体部に取り付けられた前記記録ヘッドを前記ヘッドプレートに取り付けた際、前記第２側面を前記第２当接部に押し付ける第２付勢部と、
を有し、
前記第２付勢部は、前記付勢部材が前記記録ヘッドに取り付けられた状態において、前記付勢部材の前記本体部のうち、平面視において、前記記録ヘッドを中心にして前記第２側面と反対側の部位から、前記第２側面とは反対側に向かって延びている、インクヘッドキャリッジ。
【請求項３】
前記本体部と、前記第２付勢部とは一体的に形成されている、請求項２に記載されたインクヘッドキャリッジ。
【請求項４】
開口が形成されたヘッドプレートを有するヘッドホルダと、
第１の方向における一側面である第１側面と、前記第１の方向と直交する第２の方向における一側面である第２側面とを有し、前記ヘッドプレートの前記開口に取り付けられる記録ヘッドと、
前記記録ヘッドに取り付けられた本体部を有する付勢部材と、
を備え、
前記ヘッドプレートには、前記第１側面が当接する第１当接部、および、前記第２側面が当接する第２当接部が形成され、
前記付勢部材は、前記本体部に取り付けられた前記記録ヘッドを前記ヘッドプレートに取り付けた際、前記第１側面を前記第１当接部に押し付けると共に、前記第２側面を前記第２当接部に押し付ける第１付勢部を有し、
前記付勢部材は、樹脂製である、インクヘッドキャリッジ。
【請求項５】
開口が形成されたヘッドプレートを有するヘッドホルダと、
第１の方向における一側面である第１側面と、前記第１の方向と直交する第２の方向における一側面である第２側面とを有し、前記ヘッドプレートの前記開口に取り付けられる記録ヘッドと、
前記記録ヘッドに取り付けられた本体部を有する付勢部材と、
を備え、
前記ヘッドプレートには、前記第１側面が当接する第１当接部、および、前記第２側面が当接する第２当接部が形成され、
前記付勢部材は、前記本体部に取り付けられた前記記録ヘッドを前記ヘッドプレートに取り付けた際、前記第１側面を前記第１当接部に押し付けると共に、前記第２側面を前記第２当接部に押し付ける第１付勢部を有し、
前記ヘッドプレートには、前記記録ヘッドを前記ヘッドプレートに取り付ける際、前記第１付勢部の一部が接触可能であって、前記開口に向かうに連れて下方に傾斜する傾斜面が形成されている、インクヘッドキャリッジ。
【請求項６】
開口が形成されたヘッドプレートを有するヘッドホルダと、
第１の方向における一側面である第１側面と、前記第１の方向と直交する第２の方向における一側面である第２側面とを有し、前記ヘッドプレートの前記開口に取り付けられる記録ヘッドと、
前記記録ヘッドに取り付けられた本体部を有する付勢部材と、
を備え、
前記ヘッドプレートには、前記第１側面が当接する第１当接部、および、前記第２側面が当接する第２当接部が形成され、
前記付勢部材は、前記本体部に取り付けられた前記記録ヘッドを前記ヘッドプレートに取り付けた際、前記第１側面を前記第１当接部に押し付けると共に、前記第２側面を前記第２当接部に押し付ける第１付勢部を有し、
前記記録ヘッドは、
インクを吐出するノズルが形成されたヘッド本体部と、
前記ノズルからインクを吐出するタイミングを制御するための回路が配置された基板部と、
を備え、
前記付勢部材には、前記基板部を配置する基板配置部が設けられた、インクヘッドキャリッジ。
【請求項７】
前記基板部には、孔が形成され、
前記基板配置部には、前記孔に挿入される突起が形成されている、請求項６に記載されたインクヘッドキャリッジ。
【請求項８】
前記基板部は、前記第１の方向に延びた板状の部材であり、
前記基板配置部には、前記基板部における前記第１の方向の両端を支持する支持部を備えた、請求項６または７に記載されたインクヘッドキャリッジ。
【請求項９】
前記本体部と、前記第１付勢部とは一体的に形成されている、請求項１から８までの何れか一つに記載されたインクヘッドキャリッジ。
【請求項１０】
前記第１付勢部は、上方に屈曲している、請求項１から９までの何れか一つに記載されたインクヘッドキャリッジ。
【請求項１１】
請求項１から１０までの何れか一つに記載されたインクヘッドキャリッジと、
前記インクヘッドキャリッジを摺動自在に支持するレールと、
前記インクヘッドキャリッジに連結され、前記インクヘッドキャリッジを前記レールに沿って移動させる駆動装置と、
を備えたプリンタ。
【発明の詳細な説明】
【技術分野】
【０００１】
本発明は、インクを吐出するインクヘッドキャリッジおよびそれを備えたプリンタに関する。
【背景技術】
【０００２】
従来から、インクを吐出する記録ヘッドと、記録ヘッドが搭載されるヘッドホルダとを有し、主走査方向に移動可能なインクヘッドキャリッジを備えたプリンタが知られている。記録ヘッドは、主走査方向と直交する副走査方向に並ぶ複数のノズルを有する。このようなプリンタでは、インクヘッドキャリッジが主走査方向に移動しながら記録ヘッドが記録媒体に向かってインクを吐出することによって、印刷を行う。
【０００３】
ところで、記録ヘッドのノズルが並ぶ方向が副走査方向から傾いていると、印刷の精度が低下する。そこで、特許文献１には、ヘッドホルダに対する記録ヘッドの位置を調整する記録ヘッド位置調整構造を設けることが提案されている。
【０００４】
特許文献１に開示された記録ヘッド位置調整構造は、記録ヘッドが取り付けられるヘッドプレートを有するヘッドホルダを備えている。ヘッドプレートにおいて、記録ヘッドにおける主走査方向の一側面が配置される位置に第１のコマが形成され、記録ヘッドにおける副走査方向一側面が配置される位置に第２のコマが形成されている。また、ヘッドプレートには、記録ヘッドを第１のコマおよび第２のコマに向かって押し付けることが可能な拡開力を有する付勢バネが取り付けられている。この記録ヘッド位置調整構造では、付勢バネによって、記録ヘッドにおける主走査方向の一側面を第１のコマに押し付け、かつ、記録ヘッドにおける副走査方向の一側面を第２のコマに押し付けることで、ヘッドホルダに対する記録ヘッドの位置を調整することが可能となっている。
【先行技術文献】
【特許文献】
【０００５】
【特許文献１】特開２００８−６２５８３号公報
【発明の概要】
【発明が解決しようとする課題】
【０００６】
ところで、特許文献１に開示された付勢バネは、ヘッドプレートとは別体で形成されている。そのため、ヘッドプレートを有するヘッドホルダを備えたインクヘッドキャリッジを組み立てる際、付勢バネをヘッドプレートに取り付ける必要がある。しかしながら、ヘッドプレートには、細かい凹凸があり複雑な形状をしているため、作業者がヘッドプレートに付勢バネを取り付けるための時間を要した。その結果、インクヘッドキャリッジを組み立てるための時間を要した。
【０００７】
本発明はかかる点に鑑みてなされたものであり、その目的は、インクヘッドキャリッジの組み立てが容易であり、かつ、ヘッドプレートに対する記録ヘッドの位置を調整することが可能なインクヘッドキャリッジおよびそれを備えたプリンタを提供することである。
【課題を解決するための手段】
【０００８】
本発明に係るインクヘッドキャリッジは、ヘッドホルダと、記録ヘッドと、付勢部材とを備えている。前記ヘッドホルダは、開口が形成されたヘッドプレートを有する。前記記録ヘッドは、第１の方向における一側面である第１側面と、前記第１の方向と直交する第２の方向における一側面である第２側面とを有し、前記ヘッドプレートの前記開口に取り付けられる。前記付勢部材は、前記記録ヘッドに取り付けられた本体部を有する。前記ヘッドプレートには、前記第１側面が当接する第１当接部、および、前記第２側面が当接する第２当接部が形成されている。前記付勢部材は、前記本体部に取り付けられた前記記録ヘッドを前記ヘッドプレートに取り付けた際、前記第１側面を前記第１当接部に押し付けると共に、前記第２側面を前記第２当接部に押し付ける第１付勢部を有する。
【０００９】
前記インクヘッドキャリッジによれば、第１付勢部は、記録ヘッドに取り付けられた付勢部材の本体部に設けられている。よって、ヘッドプレートに第１付勢部を直接取り付ける必要がないため、インクヘッドキャリッジの組み立てが容易である。インクヘッドキャリッジを組み立てる場合、記録ヘッドに付勢部材を取り付け、その後、記録ヘッドをヘッドプレートに取り付ける。このとき、第１付勢部によって、記録ヘッドはヘッドプレートの第１当接部および第２当接部に押し当てられる。このことによって、記録ヘッドにおける第１の方向および第２の方向と直交する方向に延びた軸周りに関する回転を規制することができる。したがって、ヘッドプレートに対する記録ヘッドの位置を調整しながら、記録ヘッドをヘッドプレートに取り付けることができる。
【発明の効果】
【００１０】
本発明によれば、インクヘッドキャリッジの組み立てが容易であり、かつ、ヘッドプレートに対する記録ヘッドの位置を調整することが可能なインクヘッドキャリッジおよびそれを備えたプリンタを提供することができる。
【図面の簡単な説明】
【００１１】
【図１】実施形態に係るプリンタを示す斜視図である。
【図２】プリンタの内部構成を示す平面図である。
【図３】付勢部材を省略したインクヘッドキャリッジの斜視図である。
【図４】インクヘッドキャリッジの平面図である。
【図５】インクヘッドキャリッジの裏面図である。
【図６】記録ヘッドの平面図である。
【図７】記録ヘッドの右側面図である。
【図８】記録ヘッドの後面図である。
【図９】付勢部材の平面図である。
【図１０】付勢部材の右側面図である。
【図１１】図９のＸＩ−ＸＩ断面における断面図である。
【図１２】付勢部材が取り付けられた記録ヘッドを示す平面図である。
【図１３】付勢部材が取り付けられた記録ヘッドを示す右側面図である。
【図１４】図４のＸＩＶ−ＸＩＶ断面における断面図である。
【図１５】付勢部材が取り付けられた記録ヘッドを開口に取り付けた状態を示す平面図である。
【発明を実施するための形態】
【００１２】
以下、図面を参照しながら、本発明の実施の一形態について説明する。なお、ここで説明される実施形態は、当然ながら特に本発明を限定することを意図したものではない。また、同じ作用を奏する部材・部位には同じ符号を付し、重複する説明は適宜省略または簡略化する。
【００１３】
図１は、本実施形態に係るプリンタ１００の斜視図である。図２は、プリンタ１００の内部構成を示す平面図である。以下の説明では、プリンタ１００を正面から見たときに、プリンタ１００から遠ざかる方を前方、近づく方を後方とする。また、左、右、上、下とは、プリンタ１００を正面から見たときの左、右、上、下をそれぞれ意味するものとする。図面中の符号Ｆ、Ｒｒ、Ｌ、Ｒ、Ｕ、Ｄは、それぞれ前、後、左、右、上、下を意味するものとする。ただし、上記方向は説明の便宜上定めた方向に過ぎず、プリンタ１００の設置態様を何ら限定するものではなく、本発明を何ら限定するものでもない。また、図面中の符号Ｙは主走査方向を示している。主走査方向Ｙは、左右方向である。符号Ｘは、主走査方向Ｙと平面視において直交する副走査方向を示している。副走査方向Ｘは、前後方向である。ただし、主走査方向Ｙおよび副走査方向Ｘは特に限定されず、プリンタ１００の形態に応じて適宜に設定可能である。本実施形態では、副走査方向Ｘが本発明の「第１の方向」に対応し、主走査方向Ｙが本発明の「第２の方向」に対応する。
【００１４】
図１に示すように、プリンタ１００はインクジェット式のプリンタであり、記録紙１３０に印刷を行うものである。本実施形態では、記録紙１３０はロール状の媒体であり、所謂ロール紙である。なお、記録紙１３０は記録媒体の一例であるが、記録媒体は記録紙１３０に限定されない。
【００１５】
プリンタ１００は、本体１００Ａと、脚１０１と、操作パネル１０２と、カバー１０５とを備えている。本体１００Ａは、主走査方向Ｙに延びたケーシングを有する。脚１０１は、本体１００Ａを支持するものである。脚１０１は、本体１００Ａの下面に設けられている。操作パネル１０２は、本体１００Ａの右側の前面に設けられている。操作パネル１０２は、使用者が印刷に関する操作を行うものである。図示は省略するが、操作パネル１０２には、モノクロ印刷またはカラー印刷、解像度、インクの濃さなどの印刷に関する情報が表示される表示部、および、印刷に関する情報を入力するための入力部などが備えられている。
【００１６】
カバー１０５は、本体１００Ａに設けられている。ここでは、カバー１０５は、本体１００Ａの上部に開閉自在に取り付けられている。カバー１０５の下方であって、本体１００Ａの下側には、記録紙１３０を排出する排出口１０３が形成されている。排出口１０３の前方かつ下方の位置には、排出口１０３から排出される記録紙１３０を案内するガイド１０４が設けられている。ガイド１０４は、排出口１０３から前方斜め下向きに延びている。
【００１７】
次に、プリンタ１００の内部構成について説明する。図２に示すように、プリンタ１００は、ガイドレール１２０と、プラテン１２５と、駆動装置１２８と、インクヘッドキャリッジ１とを備えている。ガイドレール１２０は、カバー１０５（図１参照）の下方に配置されている。ガイドレール１２０は主走査方向Ｙに延びている。ガイドレール１２０は、インクヘッドキャリッジ１を摺動自在に支持する。本実施形態では、ガイドレール１２０は、本発明の「レール」の一例である。
【００１８】
プラテン１２５は、記録紙１３０への印刷の際、記録紙１３０を支持するものである。プラテン１２５には、記録紙１３０が載置される。記録紙１３０への印刷は、プラテン１２５上において行われる。プラテン１２５は、主走査方向Ｙに延びている。プラテン１２５は、ガイドレール１２０の中央部分の下方かつ前方に配置されている。プラテン１２５は、ガイド１０４（図１参照）と連なっている。
【００１９】
本実施形態では、プラテン１２５の左端部および右端部には、記録紙１３０を副走査方向Ｘに搬送させる上下一対のローラ１２６（なお、図２では上側のローラ１２６のみ図示されており、下側のローラ１２６は省略している）がそれぞれ配置されている。ただし、上下一対のローラ１２６の数および設置位置は特に限定されない。上下一対のローラ１２６のうち、何れか一方のローラ１２６は自ら回転する駆動ローラ（グリッドローラともいう。）である。他方のローラ１２６は、上記駆動ローラと共に記録紙１３０を挟み込むためのピンチローラである。ピンチローラは、上下方向に移動可能に構成されている。
【００２０】
駆動装置１２８は、インクヘッドキャリッジ１に連結され、インクヘッドキャリッジ１をガイドレール１２０に沿って移動させるものである。駆動装置１２８は、インクヘッドキャリッジ１を主走査方向Ｙに移動させる。ここでは、駆動装置１２８は、プーリ１２１と、プーリ１２２と、無端状のベルト１２３と、サーボモータ１２４とを有している。プーリ１２１は、ガイドレール１２０の右端部分に設けられている。プーリ１２２は、ガイドレール１２０の左端部分に設けられている。ベルト１２３は、プーリ１２１とプーリ１２２とに巻き掛けられている。ここでは、サーボモータ１２４は、プーリ１２１に接続されているが、プーリ１２２に接続されていてもよい。サーボモータ１２４がプーリ１２１を駆動すると、プーリ１２１とプーリ１２２との間においてベルト１２３が走行する。これにより、インクヘッドキャリッジ１は、主走査方向Ｙに移動する。
【００２１】
次に、インクヘッドキャリッジ１について説明する。インクヘッドキャリッジ１は、プラテン１２５よりも上方に配置されている。図３は、インクヘッドキャリッジ１の斜視図である。図４は、インクヘッドキャリッジ１の平面図である。図５は、インクヘッドキャリッジ１の裏面図である。図３に示すように、インクヘッドキャリッジ１は、ヘッドプレート２０を有するヘッドホルダ１０と、複数の記録ヘッド３０Ａ〜３０Ｄと、複数の付勢部材４０Ａ〜４０Ｄ（図９参照）とを備えている。なお、図３および図４では、付勢部材４０Ａ〜４０Ｄは省略されている。図２に示すように、ヘッドホルダ１０はガイドレール１２０に摺動自在に係合している。なお、図３では、ヘッドホルダ１０のうちガイドレール１２０と係合している部分の図示は省略している。インクヘッドキャリッジ１は、ヘッドホルダ１０がガイドレール１２０に沿って主走査方向Ｙに移動する間に、記録ヘッド３０Ａ〜３０Ｄから記録紙１３０にインクを吐出するように構成されている。
【００２２】
図３に示すように、ヘッドホルダ１０は、上下方向に延びた後板１１と、後板１１の左端部に固定された左板１２と、後板１１の右端部に固定された右板１３とを備えている。ここでは、左板１２および右板１３は、それぞれ後板１１から前方に延びている。さらに、ヘッドホルダ１０は、左板１２に固定された左のベースプレート１４Ｌと、右板１３に固定された右のベースプレート１４Ｒとを備えている。ベースプレート１４Ｌおよび１４Ｒは、前後方向に延びており、縦断面がＬ型に形成されている。ここでは、ベースプレート１４Ｌは、鉛直方向に延びた鉛直部１４Ｌａと、鉛直部１４Ｌａの下端から右方に延びた水平部１４Ｌｂとを有している。ベースプレート１４Ｒは、鉛直方向に延びた鉛直部１４Ｒａと、鉛直部１４Ｒａの下端から左方に延びた水平部１４Ｒｂとを有している。
【００２３】
図４に示すように、ヘッドプレート２０は、ベースプレート１４Ｌ、１４Ｒに支持されている。ヘッドプレート２０には、複数の開口２１Ａ、２１Ｂ、２１Ｃ、２１Ｄが形成されている。複数の開口２１Ａ〜２１Ｄは、主走査方向Ｙに並んでいる。これら開口２１Ａ〜２１Ｄには、それぞれ付勢部材４０Ａ〜４０Ｄ（図９参照）が取り付けられた記録ヘッド３０Ａ〜３０Ｄが取り付けられる。なお、ここで、「記録ヘッド３０Ａ〜３０Ｄが開口２１Ａ〜２１Ｄに取り付けられる」とは、「記録ヘッド３０Ａ〜３０Ｄがヘッドプレート２０に取り付けられる」ことと同じ意味である。「記録ヘッド３０Ａ〜３０Ｄがヘッドプレート２０に取り付けられる」には、記録ヘッド３０Ａ〜３０Ｄが開口２１Ａ〜２１Ｄに嵌め込まれる場合と、記録ヘッド３０Ａ〜３０Ｄが開口２１Ａ〜２１Ｄよりも上方に位置するように配置される場合との両方が含まれる。
【００２４】
ここでは、ベースプレート１４Ｌ、１４Ｒ、および、ヘッドプレート２０は、板金によって形成されている。ただし、ベースプレート１４Ｌ、１４Ｒ、および、ヘッドプレート２０の形状および材料は、特に限定されない。また、本実施形態では、後板１１、左板１２、右板１３、左のベースプレート１４Ｌ、右のベースプレート１４Ｒ、および、ヘッドプレート２０は、別体に形成されて組み立てられているが、それらの一部または全部は一体的に形成されていてもよい。ヘッドホルダ１０は、複数の部材を組み立てることによって構成されていてもよく、単一の部材によって構成されていてもよい。
【００２５】
図４に示すように、ヘッドプレート２０の各開口２１Ａ〜２１Ｄの後方には、記録ヘッド３０Ａ〜３０Ｄの後部が押し当てられる第１当接部２２ａが設けられている。各開口２１Ａ〜２１Ｄの右方には、記録ヘッド３０Ａ〜３０Ｄの右部が押し当てられる第２当接部２２ｂおよび第３当接部２２ｃが設けられている。第２当接部２２ｂは、第３当接部２２ｃの前方に配置されている。ここでは、第２当接部２２ｂは記録ヘッド３０Ａ〜３０Ｄの右側面の前部に押し当てられる。第３当接部２２ｃは記録ヘッド３０Ａ〜３０Ｄの右側面の後部に押し当てられる。第１〜第３当接部２２ａ〜２２ｃは、ヘッドプレート２０から上方に向かって突出している。これら第１〜第３当接部２２ａ〜２２ｃは、ヘッドプレート２０に対して記録ヘッド３０Ａ〜３０Ｄを位置決めするための部位である。記録ヘッド３０Ａ〜３０Ｄを開口２１Ａ〜２１Ｄに取り付けると共に第１〜第３当接部２２ａ〜２２ｃに押し当てることによって、記録ヘッド３０Ａ〜３０Ｄは、ヘッドプレート２０の所定の位置に適切に配置されることになる。なお、本実施形態では、ヘッドプレート２０の当接部の数は３つであるが、その数は特に限定されず、例えば４つ以上であってもよい。また、第２当接部２２ｂおよび第３当接部２２ｃの何れか一方を省略することも可能である。また、ヘッドプレート２０における当接部の位置も何ら限定されない。
【００２６】
開口２１Ａ〜２１Ｄは、前後方向の長さが左右方向の長さよりも長い形状に形成されている。本実施形態では、開口２１Ａ〜２１Ｄはそれぞれ同じ形状、かつ、同じ大きさに形成されている。しかし、開口２１Ａ〜２１Ｄの形状は互いに異なっていてもよい。また、開口２１Ａ〜２１Ｄの大きさは特に限定されず、開口２１Ａ〜２１Ｄのうち何れか一つが他の何れか一つよりも大きくてもよい。また、開口２１Ａ〜２１Ｄの位置は特に限定されないが、本実施形態では、開口２１Ａ〜２１Ｄは、副走査方向Ｘに並んで配置されており、かつ、副走査方向Ｘに関して揃った位置に配置されている。詳しくは、開口２１Ａ〜２１Ｄの前端は、副走査方向Ｘに関して互いに同じ位置であり、開口２１Ａ〜２１Ｄの後端は、副走査方向Ｘに関して互いに同じ位置である。ただし、開口２１Ａ〜２１Ｄは、副走査方向Ｘに関して互いにずれた位置に形成されていてもよい。例えば、開口２１Ａ〜２１Ｄのそれぞれの前端のうち何れか一つの前端は、他の何れか一つの前端よりも後方に位置していてもよい。また、開口２１Ａ〜２１Ｄのそれぞれの後端のうち何れか一つの後端は、他の何れか一つの後端よりも前方に位置していてもよい。
【００２７】
次に、記録ヘッド３０Ａ〜３０Ｄについて説明する。本実施形態では、記録ヘッド３０Ａ〜３０Ｄは、それぞれ同じ構成である。そのため、ここでは、記録ヘッド３０Ａの構成について詳細に説明し、記録ヘッド３０Ｂ〜３０Ｄの構成に関する説明は省略する。図６は、記録ヘッド３０Ａ〜３０Ｄの平面図である。図７は、記録ヘッド３０Ａ〜３０Ｄの右側面図である。図８は、記録ヘッド３０Ａ〜３０Ｄの後面図である。図６に示すように、記録ヘッド３０Ａは、ヘッド本体部３１と、第１ヘッド当接部３３ａ（図８参照）と、第２ヘッド当接部３３ｂと、第３ヘッド当接部３３ｃと、左の基板部３４Ｌと、右の基板部３４Ｒと、左の間接部３６Ｌと、右の間接部３６Ｒとを備えている。
【００２８】
ヘッド本体部３１は、平面視において、矩形状の部材である。ここでは、図７に示すように、ヘッド本体部３１の前部には、前後方向に延びた平板３１ｂが設けられている。ヘッド本体部３１の下面には、ノズル面３２が設けられている。図５に示すように、ノズル面３２は、副走査方向Ｘに並ぶ複数のノズル３２ａを有している。ノズル３２ａは、記録紙１３０に向かってインクを吐出する部位である。なお、ノズル３２ａは微小であるため、図５では複数のノズル３２ａは、直線で表されている。記録ヘッド３０Ａのノズル３２ａは、記録ヘッド３０Ａをヘッドホルダ１０に搭載した際、下方から見たときに開口２１Ａの内側に位置している。
【００２９】
本実施形態では、図７に示すように、第１ヘッド当接部３３ａ、第２ヘッド当接部３３ｂ、および第３ヘッド当接部３３ｃは、ヘッドプレート２０に当接する部位である。ここでは、第１ヘッド当接部３３ａ、第２ヘッド当接部３３ｂ、および第３ヘッド当接部３３ｃは、ヘッド本体部３１に設けられている。詳しくは、第１ヘッド当接部３３ａは、ノズル面３２よりも後方に設けられている。第１ヘッド当接部３３ａは、ヘッド本体部３１の後部に設けられている。ここでは、第１ヘッド当接部３３ａは、上下方向に延びている。第１ヘッド当接部３３ａの上端には、第１ヘッド当接部３３ａから後方に延びた平板３１ａが設けられている。第１ヘッド当接部３３ａは、ヘッドプレート２０の第１当接部２２ａ（図４参照）に当接する。本実施形態では、第１ヘッド当接部３３ａおよび第１ヘッド当接部３３ａが設けられたヘッド本体部３１の部位は、本発明の「第１側面」に対応する。
【００３０】
図８に示すように、第２ヘッド当接部３３ｂは、平面視において、ノズル面３２よりも右方に設けられている。図７に示すように、第２ヘッド当接部３３ｂは、第１ヘッド当接部３３ａよりも前方に設けられている。ここでは、第２ヘッド当接部３３ｂは、ヘッド本体部３１の右側面の前側の部位に設けられている。第２ヘッド当接部３３ｂは、ヘッドプレート２０の第２当接部２２ｂ（図４参照）に当接する。本実施形態では、第２ヘッド当接部３３ｂ、および、第２ヘッド当接部３３ｂが設けられたヘッド本体部３１の部位は、本発明の「第２側面」に対応する。図８に示すように、第３ヘッド当接部３３ｃは、ノズル面３２よりも右方に設けられている。図７に示すように、第３ヘッド当接部３３ｃは、第１ヘッド当接部３３ａよりも前方であって、第２ヘッド当接部３３ｂよりも後方に設けられている。ここでは、第３ヘッド当接部３３ｃは、ヘッド本体部３１の右側面の後側の部位に設けられている。第３ヘッド当接部３３ｃは、ヘッドプレート２０の第３当接部２２ｃ（図４参照）と当接する。
【００３１】
第２ヘッド当接部３３ｂと第３ヘッド当接部３３ｃとは、前後方向に並んでいる。本実施形態では、第１ヘッド当接部３３ａ、第２ヘッド当接部３３ｂ、および第３ヘッド当接部３３ｃにおいて、ヘッドプレート２０と当接する部位は、平らになっている。
【００３２】
図６に示すように、基板部３４Ｌおよび３４Ｒは、ノズル３２ａから吐出されるインクが吐出されるタイミングなどを制御するための回路などが配置されている。ここでは、１つの記録ヘッド毎に、２つの基板部３４Ｌおよび３４Ｒが設けられているが、１つの記録ヘッドに設けられる基板部の数は特に限定されない。例えば、１つの記録ヘッドに設けられる基板部の数は、１つであってもよいし、３つ以上であってもよい。ここでは、基板部３４Ｌおよび３４Ｒは、前後方向に延びた板状の部材である。図８に示すように、左の基板部３４Ｌは、ヘッド本体部３１およびノズル面３２よりも左方に設けられている。右の基板部３４Ｒは、ヘッド本体部３１およびノズル面３２よりも右方に設けられている。ここでは、図７に示すように、基板部３４Ｒの後部には、孔３４Ｒａが形成されている。図示は省略するが、基板部３４Ｌの前部には、孔３４Ｒａと同様の孔が形成されている。
【００３３】
図８に示すように、間接部３６Ｌおよび３６Ｒは、それぞれ基板部３４Ｌおよび３４Ｒとヘッド本体部３１とを接続する部位である。基板部３４Ｌおよび３４Ｒは、それぞれ間接部３６Ｌおよび３６Ｒを介してヘッド本体部３１に接続されている。ここでは、ヘッド本体部３１の左端には、左の間接部３６Ｌの一端が接続されており、左の間接部３６Ｌの他端には、左の基板部３４Ｌが接続されている。また、ヘッド本体部３１の右端には、右の間接部３６Ｒの一端が接続されており、右の間接部３６Ｒの他端には、右の基板部３４Ｒが接続されている。間接部３６Ｌおよび３６Ｒは、柔軟性を有する部材によって形成されている。このことによって、基板部３４Ｌおよび３４Ｒは、ヘッド本体部３１を中心にして、上下方向に移動可能である。
【００３４】
次に、付勢部材４０Ａ〜４０Ｄについて説明する。付勢部材４０Ａ〜４０Ｄは、記録ヘッド３０Ａ〜３０Ｄをヘッドプレート２０に取り付ける際に使用される部材である。図９は、付勢部材４０Ａ〜４０Ｄの平面図である。図１０は、付勢部材４０Ａ〜４０Ｄの右側面図である。図１１は、図９のＸＩ−ＸＩ断面における断面図である。図１２は、付勢部材４０Ａ〜４０Ｄが取り付けられた記録ヘッド３０Ａ〜４０Ｄを示す平面図である。図１３は、付勢部材４０Ａ〜４０Ｄが取り付けられた記録ヘッド３０Ａ〜３０Ｄを示す右側面図である。図９に示すように、付勢部材４０Ａ〜４０Ｄは、それぞれ同じ構成であるため、ここでは、付勢部材４０Ａの構成について詳細に説明し、付勢部材４０Ｂ〜４０Ｄの説明は省略する。付勢部材４０Ａは、本体部４１と、第１付勢部４５と、第２付勢部４６と、第１基板配置部４７と、第２基板配置部４８とを備えている。
【００３５】
本実施形態では、本体部４１は、前板４１Ｆ、後板４１Ｒｒと、左板４１Ｌと、右板４１Ｒとを備えている。前板４１Ｆは、左右方向に延びたものである。後板４１Ｒｒは、前板４１Ｆの後方において、左右方向に延びたものである。後板４１Ｒｒの中央部分は、前方に凹んでいる。左板４１Ｌは、前後方向に延びている。左板４１Ｌの前端は、前板４１Ｆの左端に接続されており、左板４１Ｌの後端は、後板４１Ｒｒの左端に接続されている。右板４１Ｒは、前後方向に延びている。右板４１Ｒの前端は、前板４１Ｆの右端に接続されており、右板４１Ｒの後端は、後板４１Ｒｒの右端に接続されている。ここでは、前板４１Ｆ、後板４１Ｒｒ、左板４１Ｌ、および右板４１Ｒによって囲まれることによって、開口４１ａ形成されている。図示は省略するが、記録ヘッド３０Ａに付勢部材４０Ａを取り付けた際、この開口４１ａの下方には、記録ヘッド３０Ａのノズル面３２が配置されている。
【００３６】
付勢部４５および４６は、記録ヘッド３０Ａがヘッドプレート２０に対して適切な位置に配置されるように、記録ヘッド３０Ａの位置を調整するための部位である。付勢部４５および４６は、本体部４１に設けられている。
【００３７】
図１２に示すように、第１付勢部４５は、付勢部材４０Ａが記録ヘッド３０Ａに取り付けられた状態において、付勢部材４０Ａの本体部４１のうち、記録ヘッド３０Ａの第１ヘッド当接部３３ａ（図６参照）および第２ヘッド当接部３３ｂ（図６参照）から最も離れた部位から外方に向かって延びている。第１付勢部４５は、付勢部材４０Ａが記録ヘッド３０Ａに取り付けられた状態において、本体部４１のうち、平面視において、記録ヘッド３０Ａのヘッド本体部３１を中心にして第１ヘッド当接部３３ａおよび第２ヘッド当接部３３ｂと反対側の部位から、第２ヘッド当接部３３ｂとは反対側に向かって延びている。ここでは、第１付勢部４５は、本体部４１の左板４１Ｌ（左側面）の前部と前板４１Ｆ（前側面）の左部とが連続する本体部４１の部位に設けられている。ここでは、第１付勢部４５は、平面視において、本体部４１の左板４１Ｌの前部と前板４１Ｆの左部とが連続する部位から左斜め前方に向かって延びている。図１１に示すように、第１付勢部４５は、Ｕ字の上下を反対にしたような形状をしており、一部が上方に屈曲したような形状をしている。第１付勢部４５は、弾性力を有しており、ここでは、本体部４１から左斜め前方に向かって弾性力が付勢されている。
【００３８】
図１２に示すように、第２付勢部４６は、付勢部材４０Ａが記録ヘッド３０Ａに取り付けられた状態において、付勢部材４０Ａの本体部４１のうち、記録ヘッド３０Ａの第２ヘッド当接部３３ｂから離れた部位から外方に向かって延びている。第２付勢部４６は、付勢部材４０Ａが記録ヘッド３０Ａに取り付けられた状態において、本体部４１のうち、平面視において、記録ヘッド３０Ａのヘッド本体部３１を中心にして第２ヘッド当接部３３ｂと反対側の部位から、第２ヘッド当接部３３ｂとは反対側に向かって延びている。ここでは、図９に示すように、第２付勢部４６は、本体部４１の左板４１Ｌ（左側面）の後部に設けられている。第２付勢部４６は、第１付勢部４５の後方に設けられている。第２付勢部４６は、本体部４１の左板４１Ｌの後部から左斜め後方に向かって延びた板状の部材である。第２付勢部４６は、弾性力を有しており、ここでは、本体部４１から左方に向かって弾性力が付勢されている。
【００３９】
図９に示すように、基板配置部４７および４８は、それぞれ基板部３４Ｌおよび３４Ｒ（図６参照）が配置される部位である。ここでは、付勢部材４０Ａの基板配置部４７および４８には、それぞれ基板部３４Ｌおよび３４Ｒが取り付けられる。第１基板配置部４７は、本体部４１の左板４１Ｌ（左側面）に設けられており、かつ、第１付勢部４５と第２付勢部４６との間に位置している。第２基板配置部４８は、本体部４１の右板４１Ｒ（右側面）に設けられている。ここでは、第１基板配置部４７の前部には、突起４７ａが形成されている。この突起４７ａは、左の基板部３４Ｌの上記孔（図示せず）に挿入される。突起４７ａは、左の基板部３４Ｌの上記孔に対応した形状をしている。第１基板配置部４７の前部であって、突起４７ａの前方には、左の第１支持部４７ｂが設けられている。左の第１支持部４７ｂは、左の基板部３４Ｌの前部を支持する。第１基板配置部４７の後部であって、突起４７ａよりも後方には、左の第２支持部４７ｃが設けられている。左の第２支持部４７ｃは、左の基板部３４Ｌの後部を支持する。ここでは、第１支持部４７ｂと第２支持部４７ｃとによって、左の基板部３４Ｌを挟むようにして、第１支持部４７ｂと第２支持部４７ｃは、左の基板部３４Ｌを支持している。
【００４０】
第２基板配置部４８の後部には、右の基板部３４Ｒの孔３４Ｒａ（図７参照）に挿入される突起４８ａが形成されている。突起４８ａは、右の基板部３４Ｒの孔３４Ｒａに対応した形状をしている。第２基板配置部４８の前部には、右の基板部３４Ｒの前部を支持する右の第１支持部４８ｂが設けられている。第２基板配置部４８の後部であって、突起４８ａよりも後方には、右の基板部３４Ｒの後部を支持する右の第２支持部４８ｃが設けられている。ここでは、右の第１支持部４８ｂと第２支持部４８ｃとによって、右の基板部３４Ｒを挟むようにして、基板部３４Ｒを支持している。
【００４１】
本実施形態では、付勢部材４０Ａ〜４０Ｄは、それぞれ一体的に形成されている。すなわち、本体部４１と、第１付勢部４５と、第２付勢部４６と、第１基板配置部４７と、第２基板配置部４８とは、一体的に形成されている。ただし、付勢部材４０Ａ〜４０Ｄは、その一部が別体で形成されていてもよい。付勢部材４０Ａ〜４０Ｄは、それぞれ複数の部材を組み立てることによって構成されていてもよく、単一の部材によって構成されていてもよい。付勢部材４０Ａ〜４０Ｄの材料は特に制限されないが、ここでは、付勢部材４０Ａ〜４０Ｄは、樹脂製である。すなわち、本体部４１と、第１付勢部４５と、第２付勢部４６と、第１基板配置部４７と、第２基板配置部４８とは、樹脂製である。
【００４２】
図１４は、図４のＸＩＶ−ＸＩＶ断面における断面図である。図１４に示すように、本実施形態では、ヘッドプレート２０には、記録ヘッド３０Ａ〜３０Ｄをヘッドプレート２０に取り付けた際、第１付勢部４５および第２付勢部４６が接触する接触面２５が形成されている。ここでは、接触面２５は、ヘッドプレート２０の開口２１Ａ〜２１Ｄの左方に形成され、前後方向に延びた面である。また、接触面２５は鉛直方向に延びている。
【００４３】
ヘッドプレート２０には、記録ヘッド３０Ａ〜３０Ｄをヘッドプレート２０に取り付ける際に、第１付勢部４５および第２付勢部４６が接触面２５に接触する位置にガイドする傾斜面２７が形成されている。傾斜面２７は、ヘッドプレート２０の開口２１Ａ〜２１Ｄの左方に形成されている。傾斜面２７は、接触面２５の上端と連続しており、図４に示すように、平面視において、接触面２５から左方に向かって延びている。また、傾斜面２７は、前後方向に延びている。ここでは、図１４に示すように、傾斜面２７は、開口２１Ａ〜２１Ｄに向かうに連れて下方に傾斜している。
【００４４】
図４に示すように、ヘッドプレート２０の開口２１Ａ〜２１Ｄの後方であって、第１当接部２２ａの後方には、固定孔２８ａが形成されている。図１５は、付勢部材４０Ａ〜４０Ｄが取り付けられた記録ヘッド３０Ａ〜３０Ｄをヘッドプレート２０に取り付けた状態を示す平面図である。図１５に示すように、固定孔２８ａには、ねじ２９ａが挿入される。ここでは、ねじ２９ａには、ワッシャー２６ａが挿入されている。記録ヘッド３０Ａ〜３０Ｄをヘッドプレート２０に取り付けた際、ねじ２９ａとヘッドプレート２０との間には、記録ヘッド３０Ａ〜３０Ｄの平板３１ａが挟まれている。また、図４に示すように、ヘッドプレート２０の開口２１Ａ〜２１Ｄの前方には、固定孔２８ｂが形成されている。図１５に示すように、固定孔２８ａには、ねじ２９ｂが挿入され、ねじ２９ｂにはワッシャー２６ｂが挿入されている。記録ヘッド３０Ａ〜３０Ｄをヘッドプレート２０に取り付けた際、ねじ２９ｂとヘッドプレート２０の間には、記録ヘッド３０Ａ〜３０Ｄの平板３１ｂが挟まれている。このように、本実施形態では、固定孔２８ａ、２８ｂ、ねじ２９ａ、２９ｂ、および、ワッシャー２６ａ、２６ｂによって、記録ヘッド３０Ａ〜３０Ｄをヘッドプレート２０に固定している。
【００４５】
次に、記録ヘッド３０Ａ〜３０Ｄに、それぞれ付勢部材４０Ａ〜４０Ｄを取り付ける手順について説明する。ここでは、記録ヘッド３０Ａに付勢部材４０Ａを取り付ける手順について説明し、記録ヘッド３０Ｂ〜３０Ｄに、それぞれ付勢部材４０Ｂ〜４０Ｄを取り付ける手順に関する説明は省略する。
【００４６】
ここでは、まず、付勢部材４０Ａの本体部４１に形成された開口４１ａ（図９参照）の下方に、記録ヘッド３０Ａのノズル面３２が位置するように、記録ヘッド３０Ａに付勢部材４０Ａを配置する。次に、記録ヘッド３０Ａの基板部３４Ｌおよび３４Ｒを、それぞれ付勢部材４０Ａの基板配置部４７および４８に取り付ける。具体的には、図１３に示すように、右の基板部３４Ｒに形成された孔３４Ｒａに、第２基板配置部４８に形成された突起４８ａを挿入する。このとき、第２基板配置部４８の第１支持部４８ｂおよび第２支持部４８ｃが、それぞれ右の基板部３４Ｒの前部および後部を支持する。このことによって、右の基板部３４Ｒを第２基板配置部４８に取り付けることができる。右の基板部３４Ｒを第２基板配置部４８に取り付けるときと同様の手順で、左の基板部３４Ｌを第１基板配置部４７に取り付ける。以上のような手順によって、記録ヘッド３０Ａに付勢部材４０Ａを取り付けることができる。
【００４７】
次に、記録ヘッド３０Ａ〜３０Ｄの位置の調整手順について説明する。本実施形態では、各記録ヘッド３０Ａ〜３０Ｄにおけるヘッドプレート２０に対する位置を調整して、各記録ヘッド３０Ａ〜３０Ｄをヘッドプレート２０に取り付ける手順は、それぞれ同じである。そのため、ここでは、ヘッドプレート２０に対する記録ヘッド３０Ａの位置を調整する手順について説明し、ヘッドプレート２０に対する記録ヘッド３０Ｂ〜３０Ｄの位置を調整する手順に関する説明は省略する。ここでは、記録ヘッド３０Ａには、付勢部材４０Ａが取り付けられている状態である。
【００４８】
図４に示すように、本実施形態では、まず、記録ヘッド３０Ａの第１ヘッド当接部３３ａがヘッドプレート２０の第１当接部２２ａに当接し、記録ヘッド３０Ａの第２ヘッド当接部３３ｂがヘッドプレート２０の第２当接部２２ｂに当接し、かつ、記録ヘッド３０Ａの第３ヘッド当接部３３ｃがヘッドプレート２０の第３当接部２２ｃに当接するように記録ヘッド３０Ａを配置することで、ヘッドプレート２０に対する記録ヘッド３０Ａの位置が決定される。記録ヘッド３０Ａのノズル面３２は開口２１Ａの上方に位置している。図示は省略するが、このとき、付勢部材４０Ａの付勢部４５および４６は、傾斜面２７（図１４参照）に接触しており、付勢部材４０Ａが取り付けられた記録ヘッド３０Ａは、右方に向かって下方に傾くように配置されている。
【００４９】
次に、付勢部材４０Ａの付勢部４５および４６を、接触面２５に接触させるために、付勢部４５および４６を下方に移動させる。このとき、付勢部材４０Ａの付勢部４５および４６は、傾斜面２７に沿って移動する。そして、付勢部４５および４６が接触面２５に接触したとき、ノズル面３２は、ヘッドプレート２０と平行になるように配置される。図１５に示すように、付勢部４５および４６が接触面２５に接触しているとき、各付勢部４５および４６は、外方に向かう弾性力を有している。詳しくは、第１付勢部４５は左斜め前方に向かう方向Ｆ１に弾性力を有し、第２付勢部４６は左方に向かう方向Ｆ２に弾性力を有している。第１付勢部４５および第２付勢部４６によって、記録ヘッド３０Ａの第１〜第３ヘッド当接部３３ａ〜３３ｃは、それぞれヘッドプレート２０の第１〜第３当接部２２ａ〜２２ｃに押し付けられるような状態となっている。ここでは、第１付勢部４５によって、記録ヘッド３０Ａにおける上下方向を軸とする回転Ｒ１を規制している。第２付勢部４６によって、記録ヘッド３０Ａにおける主走査方向Ｙへの移動を規制している。
【００５０】
付勢部４５および４６を接触面２５に接触させた後、ヘッドプレート２０の固定孔２８ａに、ワッシャー２６ａが挿入されたねじ２９ａを挿入する。このとき、ワッシャー２６ａとヘッドプレート２０との間には、記録ヘッド３０Ａの平板３１ａが挟まれている。同様に、ヘッドプレート２０の固定孔２８ｂに、ワッシャー２６ｂが挿入されたねじ２９ｂを挿入する。このとき、ワッシャー２６ｂとヘッドプレート２０との間には、記録ヘッド３０Ａの平板３１ｂが挟まれている。以上のようにして、ヘッドプレート２０に対する記録ヘッド３０Ａの位置を調整しながら、記録ヘッド３０Ａをヘッドプレート２０に取り付けることができる。
【００５１】
本実施形態では、図１２に示すように、第１付勢部４５および第２付勢部４６は、記録ヘッド３０Ａ〜３０Ｄに取り付けられた付勢部材４０Ａの本体部４１に設けられている。よって、ヘッドプレート２０に第１付勢部４５および第２付勢部４６を直接取り付ける必要がないため、インクヘッドキャリッジ１の組み立てが容易である。本実施形態では、インクヘッドキャリッジ１を組み立てる場合、記録ヘッド３０Ａ〜３０Ｄに付勢部材４０Ａ〜４０Ｄを取り付け、その後、図１５に示すように、記録ヘッド３０Ａ〜３０Ｄをヘッドプレート２０に取り付ける。このとき、第１付勢部４５によって、記録ヘッド３０Ａはヘッドプレート２０の第１当接部２２ａおよび第２当接部２２ｂに押し当てられる。このことによって、記録ヘッド３０Ａ〜３０Ｄにおける上下方向に延びた軸周りに関する回転Ｒ１を規制することができる。したがって、ヘッドプレート２０に対する記録ヘッド３０Ａの位置を調整しながら、記録ヘッド３０Ａをヘッドプレート２０に取り付けることができる。
【００５２】
本実施形態では、図１２に示すように、第１付勢部４５は、付勢部材４０Ａ〜４０Ｄが記録ヘッド３０Ａ〜３０Ｄに取り付けられた状態において、付勢部材４０Ａ〜４０Ｄの本体部４１のうち第１ヘッド当接部３３ａおよび第２ヘッド当接部３３ｂから離れた部位から外方に向かって延びている。図１１に示すように、第１付勢部４５は上方に屈曲している。このことによって、図４に示すように、記録ヘッド３０Ａ〜３０Ｄをヘッドプレート２０に取り付けた際、第１付勢部４５によって、記録ヘッド３０Ａ〜３０Ｄの第１〜第３ヘッド当接部３３ａ〜３３ｃは、それぞれヘッドプレート２０の第１〜第３当接部２２ａ〜２２ｃに押し付けられた状態を維持することとなる。よって、図１５に示すように、記録ヘッド３０Ａ〜３０Ｄにおける上下方向に延びた軸周りに関する回転Ｒ１を規制することができる。
【００５３】
本実施形態では、第２付勢部４６は、本体部４１に設けられ、記録ヘッド３０Ａ〜３０Ｄをヘッドプレート２０に取り付けた際、第２ヘッド当接部３３ｂをヘッドプレート２０の第２当接部２２ｂに押し付ける。ここでは、図１２に示すように、第２付勢部４６は、付勢部材４０Ａ〜４０Ｄが記録ヘッド３０Ａ〜３０Ｄに取り付けられた状態において、付勢部材４０Ａ〜４０Ｄの本体部４１のうち第２ヘッド当接部３３ｂから離れた部位から外方に向かって延びている。このことによって、図１５に示すように、第２付勢部４６によって、記録ヘッド３０Ａ〜３０Ｄはヘッドプレート２０の第２当接部２２ｂに押し付けられた状態を維持することができる。よって、記録ヘッド３０Ａ〜３０Ｄをヘッドプレート２０に取り付けた際、第２付勢部４６によって、主走査方向Ｙにおける記録ヘッド３０Ａ〜３０Ｄの移動を規制することができる。
【００５４】
本実施形態では、ヘッドプレート２０には、記録ヘッド３０Ａ〜３０Ｄをヘッドプレート２０に取り付ける際、第１付勢部４５の一部および第２付勢部４６の一部が接触可能であって、図１４に示すように、開口２１Ａ〜２１Ｄに向かうに連れて下方に傾斜する傾斜面２７が形成されている。傾斜面２７の下端には、第１付勢部４５および第２付勢部４６が接触する接触面２５が連続している。このことによって、第１付勢部４５および第２付勢部４６をヘッドプレート２０の接触面２５に接触する位置に、記録ヘッド３０Ａ〜３０Ｄを移動させる際、第１付勢部４５および第２付勢部４６は、傾斜面２７に沿って接触面２５に向かって移動する。よって、傾斜面２７によって、第１付勢部４５および第２付勢部４６を接触面２５に容易に接触させることができる。
【００５５】
本実施形態では、図９に示すように、付勢部材４０Ａ〜４０Ｄにおいて、本体部４１、第１付勢部４５、第２付勢部４６、第１基板配置部４７、および、第２基板配置部４８は、一体的に形成されている。また、付勢部材４０Ａ〜４０Ｄは、樹脂製である。すなわち、本体部４１、第１付勢部４５、第２付勢部４６、第１基板配置部４７、および、第２基板配置部４８は、樹脂製である。このことによって、付勢部材４０Ａ〜４０Ｄの部品点数を削減することができると共に、付勢部材４０Ａ〜４０Ｄを容易に作製することができる。
【００５６】
本実施形態では、図６に示すように、記録ヘッド３０Ａ〜３０Ｄは、ノズル３２ａからインクを吐出するタイミングを制御するための回路が配置された基板部３４Ｌおよび３４Ｒを備えている。図９に示すように、付勢部材４０Ａ〜４０Ｄには、基板部３４Ｌおよび３４Ｒをそれぞれ配置する基板配置部４７および４８が設けられている。このことによって、記録ヘッド３０Ａ〜３０Ｄの基板部３４Ｌおよび３４Ｒを、付勢部材４０Ａ〜４０Ｄに取り付けることができる。
【００５７】
本実施形態では、図７に示すように、例えば、記録ヘッド３０Ａ〜３０Ｄの基板部３４Ｒには、孔３４Ｒａが形成されている。図１０に示すように、付勢部材４０Ａ〜４０Ｄの基板配置部４８には、孔３４Ｒａに挿入される突起４８ａが形成されている。基板配置部４８は、右の基板部３４Ｒにおける前後方向の両端部を支持する支持部４８ｂおよび４８ｃを備えている。このことによって、図１３に示すように、基板部３４Ｒの孔３４Ｒａに基板配置部４８の突起４８ａを挿入すると共に、基板配置部４８の支持部４８ｂおよび４８ｃが、それぞれ右の基板部３４Ｒの前部および後部を支持することで、右の基板部３４Ｒを基板配置部４８に取り付けることができる。
【００５８】
以上、本発明の実施の一形態について説明してきたが、前記実施形態は一例に過ぎず、本発明は他に種々の形態にて実施することができる。
【００５９】
記録ヘッド３０Ａ〜３０Ｄは、同一の色のインクを吐出するものであってもよく、互いに異なる色のインクを吐出するものであってもよい。
【００６０】
前記実施形態ではヘッドプレート２０の開口の数は４つであったが、開口の数は特に限定されない。開口の数は２または３であってもよく、５以上であってもよい。また、開口の数に応じて、記録ヘッドおよび付勢部材の数を変更することができる。記録ヘッドおよび付勢部材の数は４つに限られない。
【００６１】
前記実施形態および前述の他の実施形態は、適宜に組み合わせてもよい。
【符号の説明】
【００６２】
１              インクヘッドキャリッジ
１０            ヘッドホルダ
２０            ヘッドプレート
２１Ａ〜２１Ｄ  開口
２２ａ          第１当接部
２２ｂ          第２当接部
２７            傾斜面
３０Ａ〜３０Ｄ  記録ヘッド
３４Ｌ、３４Ｒ  基板部
４０Ａ〜４０Ｄ  付勢部材
４１            本体部
４５            第１付勢部
４６            第２付勢部
４７            第１基板配置部（基板配置部）
４８            第２基板配置部（基板配置部）
１００            プリンタ
【図１】
0006647755.tif 000002
【図２】
0006647755.tif 000003
【図３】
0006647755.tif 000004
【図４】
0006647755.tif 000005
【図５】
0006647755.tif 000006
【図６】
0006647755.tif 000007
【図７】
0006647755.tif 000008
【図８】
0006647755.tif 000009
【図９】
0006647755.tif 000010
【図１０】
0006647755.tif 000011
【図１１】
0006647755.tif 000012
【図１２】
0006647755.tif 000013
【図１３】
0006647755.tif 000014
【図１４】
0006647755.tif 000015
【図１５】
0006647755.tif 000016